(57)【要約】  受付部（210）は、ユーザ端末から送られた検索条件を受け付ける。検索部（231）は、受け付けられた検索条件に合致する商品、若しくはサービスを、データベース（220）から検索する。生成部（232）は、検索された商品、若しくはサービスについての金額情報を含む一覧情報を生成する。より詳細に、生成部（232）は、複数種類の金額情報（例えば、商品価格、商品価格から還元ポイント分を減算した割引商品価格、商品価格に送料を加算した商品代金、及び、割引商品価格に送料を加算した割引商品代金）のうち何れかの金額情報を用いて商品（検索された商品）をソートし、ソートに用いた金額情報に応じて省略項目として対応付けられている金額情報を隠した一覧情報、若しくは目立たなく表示した一覧情報を生成する。提示部（240）は、生成された一覧情報をユーザ端末に提示する。
2017056143.tif 000002
【特許請求の範囲】
【請求項１】
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、を備え、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とする商品検索装置。
【請求項２】
請求項１に記載の商品検索装置であって、
前記検索部は、前記複数種類の金額情報として、商品価格、当該商品価格から還元ポイント分を減算した割引商品価格、当該商品価格に送料を加算した商品代金、及び、当該割引商品価格に送料を加算した割引商品代金をそれぞれ取得し、
前記商品価格がソートに用いられると、前記割引商品価格、前記商品代金、及び、前記割引商品代金が省略項目となり、
前記割引商品価格がソートに用いられると、前記商品代金、及び、前記割引商品代金が省略項目となり、
前記商品代金がソートに用いられると、前記割引商品価格、及び、前記割引商品代金が省略項目となり、
前記割引商品代金がソートに用いられると、前記商品代金、及び、前記割引商品価格が省略項目となるように、それぞれ対応付けられている、
ことを特徴とする商品検索装置。
【請求項３】
請求項２に記載の商品検索装置であって、
前記提示部は、前記一覧情報を表形式にて提示するものであり、ソートに用いる列項目の金額情報として、前記商品価格、前記割引商品価格、前記商品代金、及び、前記割引商品代金の何れかを選択可能に提示する、
ことを特徴とする商品検索装置。
【請求項４】
請求項２に記載の商品検索装置であって、
前記提示部は、前記一覧情報を表形式にて提示するものであり、前記割引商品価格、前記商品代金、及び、前記割引商品代金の何れかがソートに用いられると、金額情報の列項目に、前記商品価格を小さく表示すると共に、ソートに用いられた前記割引商品価格、前記商品代金、及び、前記割引商品代金の何れかを大きく表示する、
ことを特徴とする商品検索装置。
【請求項５】
商品検索装置における検索方法であって、
前記商品検索装置が、検索条件を受け付ける受付ステップ、
前記商品検索装置が、前記受け付けられた検索条件に合致する商品、若しくはサービスを検索する検索ステップ、
前記商品検索装置が、前記検索された商品、若しくはサービスについての金額情報を含む一覧情報であり、複数種類の金額情報のうち何れかの金額情報を用いてソートした一覧情報を提示する提示ステップ、を備え、
前記提示ステップでは、前記複数種類の金額情報のうち、ソートに用いられた金額情報に応じて省略項目として対応付けられている金額情報を隠した一覧情報、若しくは目立たなく表示した一覧情報を提示する、
ことを特徴とする検索方法。
【請求項６】
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とするプログラムを記録したコンピュータ読み取り可能な記録媒体。
【請求項７】
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とするプログラム。
【発明の詳細な説明】
【技術分野】
【０００１】
本発明は、商品検索装置、検索方法、記録媒体、および、プログラムに関する。
【背景技術】
【０００２】
近年、インターネット上において、電子商取引を行う販売サイトが人気を博している。例えば、多くの店舗（仮想店舗）が集まって構成される販売サイト（ショッピングモールサイト）では、全体で幅広いカテゴリ（ジャンル）の商品を取り扱っているだけでなく、店舗同士の価格競争も行われていることもあり、多くのユーザを獲得している。
このような販売サイトにおいて、ユーザは、例えば、検索条件（カテゴリや商品名等）を指定して検索を行い、一覧表示された商品情報の中から、目的の商品を探していた。一覧表示される商品情報には、通常、それぞれの商品についての商品価格が含まれており、ユーザが商品の購入を判断する上での重要な目安となっている。【０００３】
なお、商品価格と共に、「送料込み価格」（送料を含めた商品価格）を表示する販売サイトも知られている。つまり、一覧表示される商品情報に、商品価格と送料込み価格とを併記することで、送料を含めた商品価格についても、各商品を比較することができるようになっている。このような商品価格と送料込み価格（総価格）とを併記した一覧情報を表示する販売サイト（情報配信システム）の先行技術が、特許文献１に開示されている。
【先行技術文献】
【特許文献】
【０００４】
【特許文献１】特許第４６２９２０４号公報
【発明の概要】
【発明が解決しようとする課題】
【０００５】
最近では、更に、商品価格から将来の還元ポイントを減算した「参考割引価格」、及び、参考割引価格に送料を加算した「送料込みの参考割引価格」などを、併記する試みがなされている。【０００６】
しかしながら、このような複数種類の金額情報（商品価格、送料込み価格、参考割引価格、及び、送料込みの参考割引価格など）が併記された場合、ユーザによっては、どの金額情報に注目すべきか迷ってしまい、結果的にＣＶＲ（Conversion Rate）が低下してしまうことが懸念される。
このため、商品の金額情報をユーザの意向に沿って適切に提示する技術が求められていた。【０００７】
本発明は、上記実状に鑑みてなされたもので、商品の金額情報を適切に提示することのできる商品検索装置、検索方法、記録媒体、および、プログラムを提供することを目的とする。
【課題を解決するための手段】
【０００８】
本発明の第１の観点に係る商品検索装置は、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、を備え、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とする。【０００９】
また、上記観点に係る商品検索装置において、
前記検索部は、前記複数種類の金額情報として、商品価格、当該商品価格から還元ポイント分を減算した割引商品価格、当該商品価格に送料を加算した商品代金、及び、当該割引商品価格に送料を加算した割引商品代金をそれぞれ取得し、
前記商品価格がソートに用いられると、前記割引商品価格、前記商品代金、及び、前記割引商品代金が省略項目となり、
前記割引商品価格がソートに用いられると、前記商品代金、及び、前記割引商品代金が省略項目となり、
前記商品代金がソートに用いられると、前記割引商品価格、及び、前記割引商品代金が省略項目となり、
前記割引商品代金がソートに用いられると、前記商品代金、及び、前記割引商品価格が省略項目となるように、それぞれ対応付けられていてもよい。【００１０】
また、上記観点に係る商品検索装置において、
前記提示部は、前記一覧情報を表形式にて提示するものであり、ソートに用いる列項目の金額情報として、前記商品価格、前記割引商品価格、前記商品代金、及び、前記割引商品代金の何れかを選択可能に提示してもよい。【００１１】
また、上記観点に係る商品検索装置において、
前記提示部は、前記一覧情報を表形式にて提示するものであり、前記割引商品価格、前記商品代金、及び、前記割引商品代金の何れかがソートに用いられると、金額情報の列項目に、前記商品価格を小さく表示すると共に、ソートに用いられた前記割引商品価格、前記商品代金、及び、前記割引商品代金の何れかを大きく表示してもよい。【００１２】
本発明の第２の観点に係る検索方法は、
商品検索装置における検索方法であって、
前記商品検索装置が、検索条件を受け付ける受付ステップ、
前記商品検索装置が、前記受け付けられた検索条件に合致する商品、若しくはサービスを検索する検索ステップ、
前記商品検索装置が、前記検索された商品、若しくはサービスについての金額情報を含む一覧情報であり、複数種類の金額情報のうち何れかの金額情報を用いてソートした一覧情報を提示する提示ステップ、を備え、
前記提示ステップでは、前記複数種類の金額情報のうち、ソートに用いられた金額情報に応じて省略項目として対応付けられている金額情報を隠した一覧情報、若しくは目立たなく表示した一覧情報を提示する、
ことを特徴とする。【００１３】
本発明の第３の観点に係るコンピュータ読み取り可能な記録媒体は、
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とするプログラムを記録する。【００１４】
上記記録媒体は、非一時的な（non-transitory）記録媒体であってよく、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。【００１５】
本発明の第４の観点に係るプログラムは、
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報、若しくは目立たなく表示した一覧情報を提示する、
ことを特徴とする。【００１６】
上記プログラムは、当該プログラムが実行されるコンピュータとは独立して、コンピュータ通信網を介して配布・販売することができる。
【発明の効果】
【００１７】
本発明によれば、商品の金額情報を適切に提示することができる。
【図面の簡単な説明】
【００１８】
【図１】本実施形態に係る販売システムの全体構成の一例を示すブロック図である。
【図２】商品検索装置、及び、ユーザ端末が実現される典型的な情報処理装置の概要構成の一例を示すブロック図である。
【図３】本実施形態に係る商品検索装置の概要構成の一例を示すブロック図である。
【図４】商品情報の一例を説明するための模式図である。
【図５】店舗情報の一例を説明するための模式図である。
【図６】ユーザ情報の一例を説明するための模式図である。
【図７】ソートに用いる金額情報と省略項目となる金額情報との対応関係の一例を示す模式図である。
【図８Ａ】一覧ページの一例を示す模式図である。
【図８Ｂ】一覧ページにおける金額情報の設定を説明するための模式図である。
【図９】本実施形態に係る一覧ページ生成処理を説明するためのフローチャートである。
【図１０】他の実施形態にて生成される一覧ページの一例を示す模式図である。
【発明を実施するための形態】
【００１９】
以下に本発明の実施形態を説明する。本発明の実施形態では、多くの店舗（仮想店舗）が集まって構成される販売サイト（ショッピングモールサイト）を一例として説明するが、１つの店舗（業者）による販売サイトにおいても適宜適用可能である。
また、以下の実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００２０】
（全体構成）
本発明の実施形態に係る販売システム１００は、図１に示すように、商品検索装置２００と各ユーザ端末３００とがインターネット９００を介して接続されて構成される。なお、図中では簡略化しているが、ユーザ端末３００は、利用するユーザに応じて、多数存在しているものとする。
【００２１】
商品検索装置２００は、例えば、販売サーバ（サーバコンピュータ）等からなり、ユーザ端末３００に対して商品に関する情報を提供すると共に、ユーザが希望する商品を販売する。
例えば、商品検索装置２００は、多くの店舗（仮想店舗）の商品を販売しており、アクセスしてきたユーザ端末３００に、商品の一覧ページ等を提示する。この一覧ページには、商品についての金額情報が含まれており、後述するように、ユーザの意向に沿って適切に表示される。
【００２２】
ユーザ端末３００は、例えば、パソコンやスマートフォン等からなり、インターネット９００を介して商品検索装置２００にアクセスし、ユーザの操作を受け付け、商品検索装置２００に商品の検索等を指示する。
なお、ユーザ端末３００において、ユーザがログイン済みである場合を一例として説明する。つまり、商品検索装置２００は、ユーザ端末３００から商品の検索等が指示された際には、後述するユーザ情報（図６のユーザ情報２２３）を参照することで、ユーザの住所や金額情報の設定（詳細は後述する）を取得できるようになっている。
【００２３】
（情報処理装置の概要構成）
本発明の実施形態に係る商品検索装置２００、及び、ユーザ端末３００が実現される典型的な情報処理装置４００について説明する。
【００２４】
情報処理装置４００は、図２に示すように、ＣＰＵ（Central Processing Unit）４０１と、ＲＯＭ（Read Only Memory）４０２と、ＲＡＭ（Random Access Memory）４０３と、ＮＩＣ（Network Interface Card）４０４と、画像処理部４０５と、音声処理部４０６と、ＤＶＤ−ＲＯＭ（Digital Versatile Disc ROM）ドライブ４０７と、インターフェース４０８と、外部メモリ４０９と、コントローラ４１０と、モニタ４１１と、スピーカ４１２と、を備える。
【００２５】
ＣＰＵ  ４０１は、情報処理装置４００全体の動作を制御し、各構成要素と接続され制御信号やデータをやりとりする。
【００２６】
ＲＯＭ  ４０２には、電源投入直後に実行されるＩＰＬ（Initial Program Loader）が記録され、これが実行されることにより、所定のプログラムをＲＡＭ  ４０３に読み出してＣＰＵ  ４０１による当該プログラムの実行が開始される。また、ＲＯＭ  ４０２には、情報処理装置４００全体の動作制御に必要なオペレーティングシステムのプログラムや各種のデータが記録される。
【００２７】
ＲＡＭ  ４０３は、データやプログラムを一時的に記憶するためのもので、ＤＶＤ−ＲＯＭから読み出したプログラムやデータ、その他、通信に必要なデータ等が保持される。
【００２８】
ＮＩＣ  ４０４は、情報処理装置４００をインターネット等のコンピュータ通信網に接続するためのものであり、ＬＡＮ（Local Area Network）を構成する際に用いられる１０ＢＡＳＥ−Ｔ／１００ＢＡＳＥ−Ｔ規格にしたがうものや、電話回線を用いてインターネットに接続するためのアナログモデム、ＩＳＤＮ（Integrated Services Digital Network）モデム、ＡＤＳＬ（Asymmetric Digital Subscriber Line）モデム、ケーブルテレビジョン回線を用いてインターネットに接続するためのケーブルモデム等と、これらとＣＰＵ  ４０１との仲立ちを行うインターフェース（図示せず）等により構成される。
【００２９】
画像処理部４０５は、ＤＶＤ−ＲＯＭ等から読み出されたデータをＣＰＵ  ４０１や画像処理部４０５が備える画像演算プロセッサ（図示せず）によって加工処理した後、これを画像処理部４０５が備えるフレームメモリ（図示せず）に記録する。フレームメモリに記録された画像情報は、所定の同期タイミングでビデオ信号に変換され、モニタ４１１に出力される。これにより、各種のページ表示が可能となる。
【００３０】
音声処理部４０６は、ＤＶＤ−ＲＯＭ等から読み出した音声データをアナログ音声信号に変換し、これに接続されたスピーカ４１２から出力させる。また、ＣＰＵ  ４０１の制御の下、情報処理装置４００が行う処理の進行の中で発生させるべき音を生成し、これに対応した音声をスピーカ４１２から出力させる。
【００３１】
ＤＶＤ−ＲＯＭドライブ４０７に装着されるＤＶＤ−ＲＯＭには、例えば、実施形態に係る商品検索装置２００等を実現するためのプログラムが記憶される。ＣＰＵ  ４０１の制御によって、ＤＶＤ−ＲＯＭドライブ４０７は、これに装着されたＤＶＤ−ＲＯＭに対する読み出し処理を行って、必要なプログラムやデータを読み出し、これらはＲＡＭ  ４０３等に一時的に記憶される。
【００３２】
インターフェース４０８には、外部メモリ４０９、コントローラ４１０、モニタ４１１、及びスピーカ４１２が、着脱可能に接続される。
【００３３】
外部メモリ４０９には、ユーザの個人情報に関するデータなどが書き換え可能に記憶される。
【００３４】
コントローラ４１０は、情報処理装置４００の各種の設定時などに行われる操作入力を受け付ける。情報処理装置４００のユーザは、コントローラ４１０を介して指示入力を行うことにより、これらのデータを適宜外部メモリ４０９に記録することができる。
【００３５】
モニタ４１１は、画像処理部４０５により出力されたデータを情報処理装置４００のユーザに提示する。
【００３６】
スピーカ４１２は、音声処理部４０６により出力された音声データを情報処理装置４００のユーザに提示する。
【００３７】
この他、情報処理装置４００は、ハードディスク等の大容量外部記憶装置を用いて、ＲＯＭ ４０２、ＲＡＭ ４０３、外部メモリ４０９、ＤＶＤ−ＲＯＭドライブ４０７に装着されるＤＶＤ−ＲＯＭ等と同じ機能を果たすように構成してもよい。
【００３８】
以下、上記情報処理装置４００において実現される商品検索装置２００の構成等について、図面を参照して説明する。情報処理装置４００に電源が投入され、例えば、ユーザ端末３００からのアクセスを受け付けると、本実施形態に係る商品検索装置２００として機能させるそれぞれのプログラムが実行され、本実施形態に係る商品検索装置２００が実現される。
なお、各ユーザ端末３００も同様に情報処理装置４００において実現されるが、これらの構成については省略し、本実施形態において最も特徴的な商品検索装置２００について、以下説明する。
【００３９】
（商品検索装置の概要構成）
図３は、本実施形態に係る商品検索装置２００の概要構成の一例を示すブロック図である。図示するように、商品検索装置２００は、受付部２１０と、データベース２２０と、制御部２３０と、提示部２４０とを備える。
【００４０】
受付部２１０は、インターネット９００を介して各ユーザ端末３００から送られる種々の情報を受け付ける。
例えば、受付部２１０は、商品の検索指示や、この検索指示に応じて提示した一覧ページ中における種々の操作指示（一例として、ユーザによるマウスのクリック操作等）を、ユーザ端末３００から受け付ける。なお、このような検索指示に先立って、受付部２１０は、ユーザ端末３００からユーザＩＤ及びパスワードを受け付けており、ユーザ端末３００のユーザは、ログイン状態であるものとする。
上述したＮＩＣ  ４０４等が、このような受付部２１０として機能しうる。
【００４１】
データベース２２０は、商品に関する情報、店舗に関する情報、及び、ユーザに関する情報を記憶する。
例えば、データベース２２０は、図４に示すような商品情報２２１を記憶する。この商品情報２２１には、一例として、店舗ＩＤ２２１ａ、商品ＩＤ２２１ｂ、カテゴリ名２２１ｃ、商品名２２１ｄ、価格２２１ｅ、及び、梱包サイズ２２１ｆが含まれている。
この梱包サイズ２２１ｆは、その商品を配送する際の大きさ（一例として、商品の外箱の三辺の合計値）を示しており、後述するように、送料を算出するために必要な要素の１つとなっている。
なお、図４の商品情報２２１では、簡略化しているが、実際のデータベース２２０には全店舗（仮想店舗）の全商品の情報が含まれている。
【００４２】
また、データベース２２０は、図５に示すような店舗情報２２２を記憶する。この店舗情報２２２には、一例として、店舗ＩＤ２２２ａ、店舗名２２２ｂ、配送拠点２２２ｃ、及び、配送会社２２２ｄが含まれている。
この配送拠点２２２ｃは、その店舗の所在地や倉庫の住所を示している。また、配送会社２２２ｄは、その店舗が商品の配送を委託する運送会社を示している。これら配送拠点２２２ｃ及び配送会社２２２ｄも、送料を算出するために必要な要素の１つとなっている。
なお、図５の店舗情報２２２では、省略しているが、実際のデータベース２２０には店舗が独自に定めたポイントの値や割合を示す情報（任意のポイント情報）も含まれている。
【００４３】
更に、データベース２２０は、図６に示すようなユーザ情報２２３を記憶する。このユーザ情報２２３には、一例として、ユーザＩＤ２２３ａ、氏名２２３ｂ、住所２２３ｃ、及び、金額情報の設定２２３ｄが含まれている。
この金額情報の設定２２３ｄは、後述する一覧ページにおける金額情報の設定状況を示している。金額情報の設定２２３ｄは、一例として、「商品価格」、商品価格に送料を加算した「送料込み価格」、購入時に見込まれるポイント分を商品価格から還元した（割り引いた）場合の「ポイント還元参考価格」、及び、ポイント還元参考価格に送料を加算した「ポイント還元参考価格＋送料」（送料込みのポイント還元参考価格）の中から、ユーザが任意に設定可能となっている。
また、住所２２３ｃは、送料を算出するために必要な要素の１つとなっている。
なお、図６のユーザ情報２２３では、省略しているが、実際のデータベース２２０にはパスワードや決済情報（決済口座やクレジットカード番号）等も含まれている。
上述したＲＡＭ  ４０３や外部メモリ４０９等が、このようなデータベース２２０として機能しうる。
【００４４】
図３に戻って、制御部２３０は、商品検索装置２００全体を制御する。この制御部２３０は、検索部２３１、生成部２３２、及び、設定部２３３を含んでおり、商品の検索を支援する。
【００４５】
検索部２３１は、カテゴリの選択や商品名の入力などの検索条件が与えられると、与えられた検索条件を基に、データベース２２０から商品群を検索する。
例えば、検索部２３１は、与えられた検索条件（カテゴリや商品名等）を基に、上述した図４の商品情報２２１を検索し、検索条件に合致した商品群を取得する。
また、検索部２３１は、検索した商品について、複数種類の金額情報を取得する。一例として、検索部２３１は、「商品価格」、商品価格に送料を加算した「送料込み価格」（つまり、商品代金）、購入時に見込まれるポイント分を商品価格から還元した（割り引いた）場合の「ポイント還元参考価格」（つまり、割引商品価格）、及び、ポイント還元参考価格に送料を加算した「ポイント還元参考価格＋送料」（つまり、割引商品代金）を取得する。
なお、送料は、図４の商品情報２２１（梱包サイズ２２１ｆ）、図５の店舗情報２２２（配送拠点２２２ｃ，配送会社２２２ｄ）、及び、図６のユーザ情報２２３（住所２２３ｃ）に基づいて算定される。また、購入時に見込まれるポイントは、一例として、商品価格を１００で割った値（小数点以下切り捨て）として算定される。また、店舗が独自にポイントを定めている場合には、例えば、図５の店舗情報２２２等から取得するようにしてもよい。
【００４６】
生成部２３２は、検索部２３１によって検索された商品群を列挙する一覧ページを生成する。
例えば、生成部２３２は、図６のユーザ情報２２３における（検索を指示したユーザＩＤ２２３ａに対する）金額情報の設定２２３ｄを参照し、設定されている金額情報を用いて商品（検索された商品）をソートし、ソートに用いた金額情報に応じて省略項目として対応付けられている金額情報を、隠した一覧ページを生成する。
なお、ソートに用いた金額情報と、省略項目となる金額情報との関係は、一例として、図７に示すように、対応付けられている。
つまり、商品価格がソートに用いられた場合には、送料込み価格、ポイント還元参考価格、及び、ポイント還元参考価格＋送料が、省略項目として対応付けられている。また、送料込み価格がソートに用いられた場合には、ポイント還元参考価格、及び、ポイント還元参考価格＋送料が、省略項目として対応付けられている。また、ポイント還元参考価格がソートに用いられた場合には、送料込み価格、及び、ポイント還元参考価格＋送料が、省略項目として対応付けられている。ポイント還元参考価格＋送料がソートに用いられた場合には、送料込み価格、及び、ポイント還元参考価格が、省略項目として対応付けられている。
【００４７】
具体的に生成部２３２は、図８Ａに示すような一覧ページ５１０を生成する。この一覧ページ５１０は、一例として、商品画像、金額情報、及び、商品情報を列項目とした表形式にて生成された場合を示している。
また、この一覧ページ５１０は、図６のユーザ情報２２３における金額情報の設定２２３ｄが、「送料込み価格」に設定されているユーザからの検索指示に応じて生成した場合を示している。そのため、一覧ページ５１０の金額情報には、送料込み価格が大きく表示されており、商品価格は小さく表示されている。また、ソートに用いた送料込み価格に対して、省略項目として対応付けられているポイント還元参考価格、及び、ポイント還元参考価格＋送料が隠されている（表示されていない）。
また、この一覧ページ５１０において、列項目の金額情報には、設定変更シンボル５１１が配置されている。この設定変更シンボル５１１が、ユーザ端末３００において、例えば、マウスにてクリックされると、生成部２３２は、図８Ｂに示すように、設定変更画面５１２をポップアップ表示して、ユーザが金額情報の設定を任意に変更可能とする。つまり、ユーザは、設定変更画面５１２から所望の項目をマウスにてクリック（選択）することで、金額情報の設定を変更することができる。
【００４８】
設定部２３３は、図８Ｂに示すような設定変更画面５１２によって、金額情報の設定が変更されると、ユーザ情報２２３を更新する。
つまり、設定部２３３は、図６のユーザ情報２２３において、金額情報の設定を変更したユーザのユーザＩＤ２２３ａに対応する金額情報の設定２２３ｄを、変更後の金額情報に書き換える。
【００４９】
この他にも、制御部２３０は、例えば、ユーザにより商品が購入された場合に、所定の決済処理等を行う。
上述したＣＰＵ  ４０１等が、このような構成からなる制御部２３０として機能しうる。
【００５０】
図３に戻って、提示部２４０は、インターネット９００を介してユーザ端末３００に種々の情報を提示する。
例えば、提示部２４０は、上述した図８Ａや図８Ｂに示すような一覧ページ５１０をユーザ端末３００に提示する。
上述したＣＰＵ  ４０１及びＮＩＣ  ４０４等が、このような提示部２４０として機能しうる。
【００５１】
（商品検索装置の動作）
以下、このような構成の商品検索装置２００の動作について図面を参照して説明する。図９は、商品検索装置２００が実行する一覧ページ生成処理の流れを示すフローチャートである。この一覧ページ生成処理は、例えば、ユーザによって、検索指示が与えられる度に実行される。
【００５２】
まず、商品検索装置２００は、検索条件を基に商品を検索する（ステップＳ１１）。
すなわち、制御部２３０（検索部２３１）は、受付部２１０が受け付けた検索条件（例えば、カテゴリの選択や商品名の入力等）を基に、上述した図４の商品情報２２１を検索し、検索条件に合致した商品群を取得する。
【００５３】
商品検索装置２００は、検索された商品について、複数種類の金額情報を取得する（ステップＳ１２）。
すなわち、制御部２３０（検索部２３１）は、「商品価格」、「送料込み価格」、「ポイント還元参考価格」、及び、「ポイント還元参考価格＋送料」を取得する。
なお、送料は、図４の商品情報２２１（梱包サイズ２２１ｆ）、図５の店舗情報２２２（配送拠点２２２ｃ，配送会社２２２ｄ）、及び、図６のユーザ情報２２３（住所２２３ｃ）に基づいて算定される。また、購入時に見込まれるポイントは、一例として、商品価格を１００で割った値（小数点以下切り捨て）として算定される。また、店舗が独自にポイントを定めている場合には、例えば、図５の店舗情報２２２等から取得するようにしてもよい。
【００５４】
商品検索装置２００は、設定されている金額情報に沿って、商品情報をソートする（ステップＳ１３）。
すなわち、制御部２３０（検索部２３１）は、図６のユーザ情報２２３における（検索を指示したユーザＩＤ２２３ａに対する）金額情報の設定２２３ｄを参照し、設定されている金額情報を用いて商品（検索された商品）をソートする。
【００５５】
商品検索装置２００は、金額情報を加工した一覧ページを生成する（ステップＳ１４）。
すなわち、制御部２３０（検索部２３１）は、ソートに用いた金額情報に応じて省略項目として対応付けられている金額情報を、隠した一覧ページを生成する。
具体的に、制御部２３０は、図８Ａに示すような一覧ページ５１０を生成し、提示部２４０によって、ユーザ端末３００に提示させる。この一覧ページ５１０は、一例として、商品画像、金額情報、及び、商品情報を列項目とした表形式にて生成された場合を示している。
また、この一覧ページ５１０は、図６のユーザ情報２２３における金額情報の設定２２３ｄが、「送料込み価格」に設定されているユーザからの検索指示に応じて生成した場合を示している。そのため、一覧ページ５１０の金額情報には、送料込み価格が大きく表示されており、商品価格は小さく表示されている。また、ソートに用いた送料込み価格に対して、省略項目として対応付けられているポイント還元参考価格、及び、ポイント還元参考価格＋送料が隠されている（表示されていない）。
【００５６】
商品検索装置２００は、金額情報の設定変更があったか否かを判別する（ステップＳ１５）。
つまり、制御部２３０は、図８Ｂに示すように、一覧ページ５１０における設定変更シンボル５１１がユーザによって操作され、設定変更画面５１２によって、金額情報の設定変更があったかどうかを判別する。
【００５７】
商品検索装置２００は、金額情報の設定変更があったと判別すると（ステップＳ１５；Ｙｅｓ）、金額情報を再設定する（ステップＳ１６）。
すなわち、制御部２３０（設定部２３３）は、図６のユーザ情報２２３において、金額情報の設定を変更したユーザのユーザＩＤ２２３ａに対応する金額情報の設定２２３ｄを、変更後の金額情報に書き換える。
そして、商品検索装置２００は、上述したステップＳ１３に処理を戻す。
つまり、設定が変更された金額情報に沿って、商品情報をソートし直し（ステップＳ１３）、金額情報を加工した一覧ページを再度生成する（ステップＳ１４）。
【００５８】
一方、金額情報の設定変更がないと判別した場合（ステップＳ１５；Ｎｏ）、商品検索装置２００は、一覧ページ生成処理を終了する。
【００５９】
このような一覧ページ生成処理によって、ユーザが設定した金額情報に沿ってソートした商品情報を提示すると共に、省略項目となる金額情報を隠している。つまり、ユーザが興味を持っていないと思われる金額情報を隠すことで、ユーザの困惑を防止できる。
この結果、商品の金額情報をユーザの意向に沿って適切に提示することができる。
【００６０】
（他の実施形態）
上記の実施形態では、図８Ａに示すように、一覧ページ５１０において、省略項目となる金額情報を隠す場合について説明したが、隠す代わりに、目立たなく表示するようにしてもよい。
例えば、生成部２３２は、図１０に示すような一覧ページ５２０を生成する。この一覧ページ５２０は、省略項目として対応付けられている「ポイント還元参考価格」を、フォントの色を水色にするなど、目立たなく表示している様子を示している。なお、図１０の一覧ページ５２０では、省略しているが、「ポイント還元参考価格＋送料」についても、同様に表示するようにしてもよい。
【００６１】
上記の実施形態では、商品の販売サイトを一例として説明したが、このような商品以外にも、保険等のサービスを販売する販売サイト等にも適宜適用可能である。
【産業上の利用可能性】
【００６２】
以上説明したように、本発明によれば、商品の金額情報を適切に提示する商品検索装置、検索方法、記録媒体、および、プログラムを提供することができる。
【符号の説明】
【００６３】
１００  販売システム
２００  商品検索装置
２１０  受付部
２２０  データベース
２３０  制御部
２３１  検索部
２３２  生成部
２３３  設定部
２４０  提示部
３００  ユーザ端末
４００  情報処理装置
４０１  ＣＰＵ
４０２  ＲＯＭ
４０３  ＲＡＭ
４０４  ＮＩＣ
４０５  画像処理部
４０６  音声処理部
４０７  ＤＶＤ−ＲＯＭドライブ
４０８  インターフェース
４０９  外部メモリ
４１０  コントローラ
４１１  モニタ
４１２  スピーカ
９００  インターネット
【図１】
2017056143.tif 000003
【図２】
2017056143.tif 000004
【図３】
2017056143.tif 000005
【図４】
2017056143.tif 000006
【図５】
2017056143.tif 000007
【図６】
2017056143.tif 000008
【図７】
2017056143.tif 000009
【図８Ａ】
2017056143.tif 000010
【図８Ｂ】
2017056143.tif 000011
【図９】
2017056143.tif 000012
【図１０】
2017056143.tif 000013
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、を備え、
前記提示部は、前記複数種類の金額情報のうち、ソートに用いられた金額情報に応じて省略項目として対応付けられている金額情報を隠した一覧情報を提示する、
ことを特徴とする商品検索装置。
【請求項２】
請求項１に記載の商品検索装置であって、
前記検索部は、前記複数種類の金額情報として、商品価格、当該商品価格から還元ポイント分を減算した割引商品価格、当該商品価格に送料を加算した商品代金、及び、当該割引商品価格に送料を加算した割引商品代金をそれぞれ取得し、
前記商品価格がソートに用いられると、前記割引商品価格、前記商品代金、及び、前記割引商品代金が省略項目となり、
前記割引商品価格がソートに用いられると、前記商品代金、及び、前記割引商品代金が省略項目となり、
前記商品代金がソートに用いられると、前記割引商品価格、及び、前記割引商品代金が省略項目となり、
前記割引商品代金がソートに用いられると、前記商品代金、及び、前記割引商品価格が省略項目となるように、それぞれ対応付けられている、
ことを特徴とする商品検索装置。
【請求項３】
請求項２に記載の商品検索装置であって、
前記提示部は、前記一覧情報を表形式にて提示するものであり、ソートに用いる列項目の金額情報として、前記商品価格、前記割引商品価格、前記商品代金、及び、前記割引商品代金の何れかを選択可能に提示する、
ことを特徴とする商品検索装置。
【請求項４】
請求項２に記載の商品検索装置であって、
前記提示部は、前記一覧情報を表形式にて提示するものであり、前記割引商品価格、前記商品代金、及び、前記割引商品代金の何れかがソートに用いられると、金額情報の列項目に、前記商品価格を小さく表示すると共に、ソートに用いられた前記割引商品価格、前記商品代金、及び、前記割引商品代金の何れかを大きく表示する、
ことを特徴とする商品検索装置。
【請求項５】
商品検索装置における検索方法であって、
前記商品検索装置が、検索条件を受け付ける受付ステップ、
前記商品検索装置が、前記受け付けられた検索条件に合致する商品、若しくはサービスを検索する検索ステップ、
前記商品検索装置が、前記検索された商品、若しくはサービスについての金額情報を含む一覧情報であり、複数種類の金額情報のうち何れかの金額情報を用いてソートした一覧情報を提示する提示ステップ、を備え、
前記提示ステップでは、前記複数種類の金額情報のうち、ソートに用いられた金額情報に応じて省略項目として対応付けられている金額情報を隠した一覧情報を提示する、
ことを特徴とする検索方法。
【請求項６】
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報を提示する、
ことを特徴とするプログラムを記録したコンピュータ読み取り可能な記録媒体。
【請求項７】
コンピュータを、
検索条件を受け付ける受付部、
前記受け付けられた検索条件に合致する商品、若しくはサービスを検索する検索部、
前記検索された商品、若しくはサービスについての金額情報を含む一覧情報であり、複数種類の金額情報のうち何れかの金額情報を用いてソートした一覧情報を提示する提示部、として機能させ、
前記提示部は、前記複数種類の金額情報のうち、ソートに用いられた金額情報に応じて省略項目として対応付けられている金額情報を隠した一覧情報を提示する、
ことを特徴とするプログラム。
【国際調査報告】
2017056143.tif 000014
2017056143.tif 000015
2017056143.tif 000016
2017056143.tif 000017